(57)【特許請求の範囲】
【請求項１】
送信元より送信されたメッセージをメッセージ蓄積装置に蓄積し、該メッセージ蓄積装置が該メッセージを送信先に送信するメッセージサービスシステムであって、
対応する新旧それぞれのメッセージが互いに異なるメッセージ蓄積装置に蓄積される場合において、前記旧メッセージを蓄積するメッセージ蓄積装置を特定し、該メッセージ蓄積装置に保持される旧メッセージを送信先への送信を不能にする送信制御手段を、有することを特徴とするメッセージサービスシステム。
【請求項２】
前記送信制御手段は、前記新メッセージが前記メッセージ蓄積装置に蓄積される前に、前記旧メッセージを送信不能にすることを特徴とする請求項１に記載のメッセージサービスシステム。
【請求項３】
前記送信制御手段は、前記旧メッセージを削除することにより、送信先への送信を不能にすることを特徴とする請求項１又は２に記載のメッセージサービスシステム。
【請求項４】
請求項１〜３のいずれか１項に記載のメッセージサービスシステムにおいて、前記メッセージがあらかじめ定められたメッセージ蓄積装置に蓄積される場合に、該メッセージを他のメッセージ蓄積装置に蓄積するように収容先を変更する収容変更方法であって、
前記収容先を変更すべきメッセージと、前記収容先を変更する前の収容元のメッセージ蓄積装置と、前記収容先となるメッセージ蓄積装置と、を特定する収容変更情報を保持する収容変更情報保持ステップと、
前記収容変更情報により特定される収容先を変更すべき新メッセージの発生時に、前記収容元のメッセージ蓄積装置に蓄積されている旧メッセージを削除する削除ステップと、
前記新メッセージの発生以降に発生する、収容先を変更すべきメッセージを前記収容変更情報により特定される収容先のメッセージ蓄積装置に送信する送信ステップと、
を含むことを特徴とする収容変更方法。
【請求項５】
前記収容変更情報保持ステップにおいては、前記収容先を変更すべきメッセージと、前記収容先のメッセージ蓄積装置と、を特定する情報を前記収容元のメッセージ蓄積装置に保持し、
前記削除ステップにおいては、前記収容元のメッセージ蓄積装置において受信するメッセージが収容先を変更すべきメッセージである時に、前記収容元のメッセージ蓄積装置に蓄積されている旧メッセージを削除し、
前記送信ステップにおいては、前記収容元のメッセージ蓄積装置において受信するメッセージが収容先を変更すべきメッセージである時に、前記収容元のメッセージ蓄積装置が、前記収容先のメッセージ蓄積装置への再送を、送信元へ指示することを特徴とする請求項４に記載の収容変更方法。
【請求項６】
前記収容変更情報保持ステップにおいては、前記収容先を変更すべきメッセージと、前記収容元のメッセージ蓄積装置と、を特定する情報を前記収容先のメッセージ蓄積装置に保持し、
前記送信ステップにおいては、前記再送時に付加される再送を指示したメッセージ蓄積装置を特定する情報と、前記収容元のメッセージ蓄積装置を特定する情報と、に基づいて、前記メッセージが収容元となるメッセージ蓄積装置から正しく再送されているか否かを、更に、前記収容先のメッセージ蓄積装置において、確認することを特徴とする請求項５に記載の収容変更方法。
【発明の詳細な説明】
【０００１】
【発明の属する技術分野】
本発明はメッセージサービスシステム、及び、収容変更方法に関し、特に、蓄積装置に保持されたメッセージのうち最新のメッセージのみを送信するメッセージサービスシステム、及び、収容変更方法に関する。
【０００２】
【従来の技術】
移動通信端末に提供される通信サービスの１つに、例えば、留守番電話センタに何件のメッセージが登録されているのかを利用者に通知するためのメッセージ等、種々のメッセージを配信するメッセージ配信サービスがある。このようなメッセージ配信サービスにおける、移動通信端末へのメッセージ送信シーケンスの一例が、図３に示されている。
【０００３】
同図に示されているように、まずステップＳ３０１において、上述のようなメッセージを発信する情報発信サーバ９３が、そのメッセージを蓄積する蓄積装置ＡへメッセージＭ１を送信する。どの蓄積装置へ送信するかは、メッセージの送信先によって定まる。すなわち、送信先と蓄積装置との対応はあらかじめ定められ、それに基づいて、情報発信サーバ９３は、それぞれのメッセージの送信先に対応した蓄積装置へ、そのメッセージを送信するのである。図中のメッセージの、送信先は加入者αの移動通信端末であることから、対応する蓄積装置Ａに、メッセージが送信されている。
【０００４】
ステップＳ３０２においては、蓄積装置Ａが、受信したメッセージを交換機９１に送信する。ステップＳ３０３においては、交換機９１が、受信したメッセージを加入者αの受信端末に送信するために、移動通信端末の情報を管理する加入者情報管理装置９２に、受信端末の位置を特定する位置情報の問合わせを行なう。ステップＳ３０４においては、ステップＳ３０３の問合わせに応答して位置情報応答を返信する。ステップＳ３０５においては、ステップＳ３０４における位置情報応答を受けて位置が特定された受信端末に、交換機９１がメッセージを送信する。これらステップＳ３０１〜Ｓ３０５のメッセージ送信シーケンスを経ることによって、情報発信サーバ９３からのメッセージが、加入者αの受信端末へ送信される。
【０００５】
ステップＳ３０６以降のステップには、受信端末が圏外等メッセージを受信できない状態にあったため、メッセージ送信が失敗した場合のシーケンスが示されている。この場合には、まずステップＳ３０６において、加入者情報管理装置９２のデータベースＤＢ１に、送信に失敗した加入者の情報と、そのメッセージが蓄積される装置の蓄積管理番号と、が登録される。ステップＳ３０７においては、交換機９１から蓄積装置Ａに、加入者αの受信端末が圏外であるためメッセージの送信に失敗した旨が通知され、蓄積装置のデータベースＤＢ２にそのメッセージの送信先となる加入者情報及び失敗理由が登録される。ステップＳ３０８において、受信端末が圏内に復帰すると、ステップＳ３０９に示されるように、圏内復帰の情報が交換局にも伝達される。加入者情報管理装置９２のデータベースＤＢ１には、加入者αのメッセージが蓄積装置Ａに蓄積されていることが判明することから、ステップＳ３１０においては、加入者情報管理装置９２から蓄積装置Ａにも、加入者αの受信端末が圏内復帰したことが伝達される。蓄積装置Ａは、そのデータベースＤＢ２の内用を参照することによりメッセージ送信の失敗理由が「圏外」、であることが分かるため、再度自律的に受信端末へメッセージを送信することができる。
【０００６】
【発明が解決しようとする課題】
上述のように、移動通信端末のメッセージ配信においては、メッセージがその送信先に応じた蓄積装置に送信され、蓄積装置が、自ら受信端末への送信を行なっている。
ところで、サービス加入者が増加し、そのメッセージ量が蓄積装置の容量を越えてしまう場合等のように、加入者へのメッセージを他の蓄積装置に移し替える必要が生じる場合がある。
【０００７】
従来においては、このように各蓄積装置においてメッセージ保存の対象となる加入者を変更する、すなわち収容変更を行なう場合には、蓄積装置を指定してメッセージ送信を行なう情報発信サーバの保持する収容情報を変更している。この変更の様子が、図４に示されている。同図に示されるように、情報発信サーバ９３は、その保持する収容変更情報に基づき、加入者αに対するメッセージを蓄積装置Ａに送信する。加入者αのメッセージを蓄積装置Ａから蓄積装置Ｂに蓄積するように変更する時には、矢印Ｙ１に示されるように、収容情報を変更する。この収容情報の変更後に加入者α宛てのメッセージが発生すると、情報発信サーバ９３は、そのメッセージを蓄積装置Ｂに送信する。これにより、蓄積装置Ａから蓄積装置Ｂへの収容変更が行われる。
【０００８】
しかし、従来の変更方法においては、次のような問題がある。すなわち、図４のように、蓄積装置Ａに送信されたメッセージＭ１は、ステップＳ４０１に示されるように、更に蓄積装置Ａから受信端末に送信されるが、受信端末が圏外にある場合には、メッセージ送信に失敗する。この場合には、後に受信端末が圏内に復帰した時に送信するために、蓄積装置ＡにメッセージＭ１を保持しつづける。このような状態の時に、蓄積装置Ｂへの収容変更が行われたとする。収容変更後に発生したメッセージＭ２は、上述のように、ステップＳ４０２において情報発信サーバ９３から蓄積装置Ｂへ送信される。更に、ステップＳ４０３においては、そのメッセージは、蓄積装置Ｂから受信端末へ送信され、収容変更後においても受信端末へのメッセージ送信が保証される。
【０００９】
ところが、このメッセージＭ２の受信端末への送信が完了した時点で、ステップＳ４０２においては、蓄積装置Ａが、受信端末が圏内に復帰した通知を受けて、保持しつづけていたメッセージＭ１を再送する。すなわち、蓄積装置同士が相互に通信しないため、メッセージＭ１が、後になって発生したメッセージＭ２よりも遅く、受信端末へ送信されることとなる。
このため、例えば、留守番電話センタに登録された加入者αへのメッセージ件数のように、メッセージが、時を追う毎に変化する情報を通知するものである場合には、古い情報が新しい情報の後に送信される。ゆえに、受信端末においては、新しい情報を有するメッセージＭ２が、古いメッセージＭ１によって上書きされるという事態が発生していた。
【００１０】
本発明の目的は、メッセージが互いに異なる蓄積装置に保持される場合にも、蓄積装置及び情報発信サーバが相互に連携することにより、最新のメッセージのみを受信端末に送信するメッセージサービスシステム、及び、収容変更方法を提供することにある。
【００１１】
【課題を解決するための手段】
本発明の請求項１によるメッセージサービスシステムは、送信元より送信されたメッセージをメッセージ蓄積装置に蓄積し、該メッセージ蓄積装置が該メッセージを送信先に送信するメッセージサービスシステムであって、
対応する新旧それぞれのメッセージが互いに異なるメッセージ蓄積装置に蓄積される場合において、前記旧メッセージを蓄積するメッセージ蓄積装置を特定し、該メッセージ蓄積装置に保持される旧メッセージを送信先への送信を不能にする送信制御手段を、有することを特徴とする。
【００１２】
これにより、新メッセージの発生後に旧メッセージが送信先へ送信されることを防止し、最新の情報を有する新メッセージのみを送信先へ送信することができる。このメッセージは、同一の対象に関する情報であって、時刻に依存して変化する情報を含むようなメッセージであり、新しいメッセージが発生した時点で、より以前に発生した旧メッセージは不要となるような種類のメッセージである。
本発明の請求項２によるメッセージサービスシステムは、請求項１において、前記送信制御手段は、前記新メッセージが前記メッセージ蓄積装置に蓄積される前に、前記旧メッセージを送信不能にすることを特徴とする。
【００１３】
自律的にメッセージの送信を行うメッセージ蓄積装置に、新メッセージが送信される前に、旧メッセージを送信不能にすることにより、確実に新メッセージのみを送信するようにすることができる。
本発明の請求項３によるメッセージサービスシステムは、請求項１又は２において、前記送信制御手段は、前記旧メッセージを削除することにより、送信先への送信を不能にすることを特徴とする。
【００１４】
本発明の請求項４による収容変更方法は、請求項１〜３のいずれか１項に記載のメッセージサービスシステムにおいて、前記メッセージがあらかじめ定められたメッセージ蓄積装置に蓄積される場合に、該メッセージを他のメッセージ蓄積装置に蓄積するように収容先を変更する収容変更方法であって、
前記収容先を変更すべきメッセージと、前記収容先を変更する前の収容元のメッセージ蓄積装置と、前記収容先となるメッセージ蓄積装置と、を特定する収容変更情報を保持する収容変更情報保持ステップと、
前記収容変更情報により特定される収容先を変更すべき新メッセージの発生時に、前記収容元のメッセージ蓄積装置に蓄積されている旧メッセージを削除する削除ステップと、
前記新メッセージの発生以降に発生する、収容先を変更すべきメッセージを前記収容変更情報により特定される収容先のメッセージ蓄積装置に送信する送信ステップと、
を含むことを特徴とする。
【００１５】
メッセージ蓄積装置に収容するメッセージを変更する時に、収容先を変更すべきメッセージを収容先のメッセージ蓄積装置に送信させる。これにより、蓄積されたメッセージを他のメッセージ蓄積装置に移し替える等の操作を行なわずに、メッセージ蓄積装置を稼動させたまま、収容先を変更することができる。また、送信先への送信時間の前後により、矛盾を生じる旧メッセージについては、新メッセージの発生時に、メッセージ蓄積装置において削除することにより、最新のメッセージのみを送信することができる。
【００１６】
本発明の請求項５による収容変更方法は、請求項４において、前記収容変更情報保持ステップにおいては、前記収容先を変更すべきメッセージと、前記収容先のメッセージ蓄積装置と、を特定する情報を前記収容元のメッセージ蓄積装置に保持し、
前記削除ステップにおいては、前記収容元のメッセージ蓄積装置において受信するメッセージが収容先を変更すべきメッセージである時に、前記収容元のメッセージ蓄積装置に蓄積されている旧メッセージを削除し、
前記送信ステップにおいては、前記収容元のメッセージ蓄積装置において受信するメッセージが収容先を変更すべきメッセージである時に、前記収容元のメッセージ蓄積装置が、前記収容先のメッセージ蓄積装置への再送を、送信元へ指示することを特徴とする。
【００１７】
収容先を変更するメッセージ蓄積装置自体において、収容変更情報を保持することにより、収容先を変更すべきメッセージの管理をより容易に行なうことができる。
本発明の請求項６による収容変更方法は、請求項５において、前記収容変更情報保持ステップにおいては、前記収容先を変更すべきメッセージと、前記収容元のメッセージ蓄積装置と、を特定する情報を前記収容先のメッセージ蓄積装置に保持し、
前記送信ステップにおいては、前記再送時に付加される再送を指示したメッセージ蓄積装置を特定する情報と、前記収容元のメッセージ蓄積装置を特定する情報と、に基づいて、前記メッセージが収容元となるメッセージ蓄積装置から正しく再送されているか否かを、更に、前記収容先のメッセージ蓄積装置において、確認することを特徴とする。
【００１８】
【発明の実施の形態】
次に、図面を参照して本発明の実施の形態について説明する。なお、以下の説明において参照する各図においては、他の図と同等の部分が同一符号によって示されている。
図１には、本実施の形態における情報発信サーバ９３から受信端末までのメッセージ送信シーケンスが示されている。同図に示されるように、本実施の形態におけるメッセージサービスシステムにおいては、情報発信サーバ９３から送信されるメッセージが、蓄積装置Ａを介して（ステップＳ１０１）、受信端末に送信される（ステップＳ１０２）。ステップＳ１０１において、メッセージの送信先となる蓄積装置Ａは、メッセージの送信先となる受信端末に応じてあらかじめ定められている。情報発信サーバ９３は、これらが定義された収容情報Ｊ（１）を参照してメッセージを送信する。ステップＳ１０２における蓄積装置Ａから受信端末へのメッセージの送信は、上述のように、ステップＳ１０１におけるメッセージの受信後、あるいは、その後自律的に行われる。
【００１９】
次に、このメッセージサービスシステムにおける収容変更方法について説明する。収容変更においては、上述のように、あらかじめ定められたメッセージとそれを蓄積する蓄積装置との対応を変更し、そのメッセージが異なる蓄積装置に蓄積されるように変更する。例えば、メッセージサービスの加入者が増え、蓄積装置にメッセージを保持しきれなくなった場合等、に収容変更を行なう必要が生じる。
（１）この収容変更においては、まず、図１に示されるように、収容変更情報ＨＪを登録し、収容変更の対象となるメッセージと、収容元の蓄積装置と、収容先の蓄積装置と、を特定する収容変更情報を保持する。本実施の形態おいては、収容元となる蓄積装置Ａに、収容変更対象となるメッセージと、収容先となる蓄積装置とを特定する収容変更情報ＨＪ（Ａ）を登録する。また、蓄積装置Ｂに、収容変更対象となるメッセージと、収容元となる蓄積装置を特定する収容変更情報ＨＪ（Ｂ）を登録する。この収容変更情報を保持する装置は、収容元及び収容先のメッセージ蓄積装置又は情報発信サーバ等のメッセージサービスシステムを構成し、送信シーケンスを制御することができる装置で特に限定されるものではない。
（２）この収容変更の対象となるメッセージ等を特定した後に、収容対象となるメッセージが発生する（ステップＳ１１１）。収容変更に必要な収容変更情報ＨＪの特定は行なわれたが、情報発信サーバ９３は、収容変更情報ＨＪを参照することができないため、元の収容情報に基づき、収容元の蓄積装置Ａにメッセージ送信を行なう。
（３）ステップＳ１１１においてメッセージを受信した蓄積装置Ａの詳細な動作は、図２のフローチャートに示されている。同図のステップＳ２０１においては、蓄積装置Ａが収容変更情報ＨＪ（Ａ）を参照し、メッセージが収容変更の対象となっているかを確認する。収容変更対象となっていない場合（ＮＯ）には、そのままメッセージＭ２を送信する。収容変更対象である場合（ＹＥＳ）には、ステップＳ２０２に移行し、メッセージが蓄積されているかを確認する。ステップＳ２０２においてメッセージが蓄積されていると判断された場合には、ステップＳ２０３に移行し、蓄積されたメッセージを削除する。蓄積装置は、メッセージを受信する毎に、この動作を繰り返すことにより、特定のメッセージの収容変更を行なう。
（４）図１に戻り、ステップＳ１１２においては、蓄積装置Ａから情報発信サーバ９３へ通知先変更指示が行なわれる。この通知先変更指示は、情報発信サーバ９３に収容変更対象となっているメッセージＭ２を収容先の蓄積装置Ｂに再送するように指示するものであり、収容変更情報ＨＪ（Ａ）に基づいて、収容先の蓄積装置Ｂが特定されている。ステップＳ１１３においては、情報発信サーバ９３が、収容先となる蓄積装置ＢにメッセージＭ２を送信する。この時、情報発信サーバ９３は、再送メッセージである旨の情報と、収容元を特定する情報を付加して送信する。
（５）ステップＳ１１３においてメッセージＭ２を受信した蓄積装置Ｂにおける詳細な動作が、図２のフローチャートに示されている。同図のステップＳ２１１においては、メッセージ送信時に付加された再送メッセージである旨の情報に基づき、受信するメッセージが再送メッセージであることを確認する。再送されたメッセージでない時（ＮＯ）は、そのままメッセージが加入者αの受信端末に送信される。再送メッセージ（ＹＥＳ）である時は、ステップＳ２１２に移行する。ステップＳ２１２においては、メッセージ送信時に付加された収容元の蓄積装置を特定する情報と、収容変更情報ＨＪ（Ｂ）の有する収容元の蓄積装置の情報と、を参照して、メッセージＭ２が、収容元から収容先への収容変更の対象となるメッセージＭ２であるか確認する。収容変更情報とあっている場合（ＹＥＳ）には、そのまま受信端末にメッセージＭ２を送信する。そうでない場合（ＮＯ）には、収容変更が誤っている旨の情報を情報発信サーバ９３に返す。これにより収容変更が完了する。
（６）収容変更が完了した後は、収容情報Ｊ（１）も収容情報Ｊ（２）に変更されて、情報発信サーバ９３から送信されるメッセージＭｎ（ｎは、自然数）は、蓄積装置Ｂを介して（ステップＳ１２２）、受信端末に送信される（ステップＳ１２２）。
【００２０】
このように、メッセージの収容先を変更する場合に、収容元のメッセージ蓄積装置と、収容先のメッセージ蓄積装置と、収容先を変更すべきメッセージを特定する収容変更情報を有し、メッセージ蓄積装置と情報発信サーバとが連携して、旧メッセージの削除を行なうことにより、新メッセージのみを受信端末へ送信することができる。収容変更時のみでなく、対応する新旧それぞれのメッセージが互いに異なるメッセージ蓄積装置に蓄積される場合において、旧メッセージを蓄積するメッセージ蓄積装置を特定し、旧メッセージを削除することにより、同様の効果を得ることができる。
【００２１】
【発明の効果】
以上詳細に説明したように、収容元のメッセージ蓄積装置と収容先のメッセージ蓄積装置とを特定し、収容元のメッセージ蓄積装置に蓄積された旧メッセージを削除して、収容先のメッセージ蓄積装置にメッセージを送信することにより、古いメッセージの送信を防止し、最新のメッセージのみを送信先へ送信することができる。
【００２２】
これにより、収容先の変更を、メッセージ蓄積装置に蓄積されたメッセージの移動を行なうことなく、送信すべきメッセージ蓄積装置を特定する情報の変更と、メッセージ蓄積装置における削除動作のみで行なうことができる。
また、メッセージ蓄積装置において収容変更情報を保持することにより、収容すべきメッセージの管理をより容易に行なうことができる。
【図面の簡単な説明】
【図１】本実施の形態における収容変更時の送信シーケンスを説明する図である。
【図２】本実施の形態における収容変更時の蓄積装置における動作を説明する図である。
【図３】移動端末のメッセージサービスにおけるメッセージ配信失敗時のシーケンスを説明する図である。
【図４】従来のメッセージサービスシステムにおける収容変更の送信シーケンスを説明する図である。
【符号の説明】
Ｍ１   メッセージ
Ｍ２   メッセージ
Ｍｎ    メッセージ
ＨＪ    収容変更情報
Ｊ      収容情報
【図１】
0003651673.tif 000002
【図２】
0003651673.tif 000003
【図３】
0003651673.tif 000004
【図４】
0003651673.tif 000005